(57)【要約】【課題】タブ原稿とタブ無しの通常原稿とを含む原稿束を複写する際に、タブ原稿をタブ付きの複写シートに確実に複写できるようにすること。【解決手段】１枚のタブ原稿と複数の通常原稿とにより構成される１セットの原稿束を複数セット有する複数セット原稿束に対して、１セットの原稿束毎に複写動作を設定し、前記複数セットの原稿束の複写動作をまとめて１ジョブとするビルドジョブモードを選択するビルドジョブモード選択手段と、前記ビルドジョブモードが選択された場合にタブ原稿が１セットの原稿束の最初の位置かまたは最後の位置のいずれに配置されているかを入力するタブ原稿位置入力手段とを有し、タブ原稿でない通常原稿の画像を複写する際には前記通常原稿複写シート給紙トレイから給紙し且つタブ原稿の画像を複写する際にはタブ原稿複写シート給紙トレイから給紙する画像形成装置。【選択図】図１
2005134798.tif 000002
【特許請求の範囲】
【請求項１】
次の構成要件（Ａ01）〜（Ａ09）を備えた画像形成装置、
（Ａ01）複数の原稿を重ねて収容可能な原稿給紙トレイと、複写用の処理動作時に前記複数の原稿の中から１枚づつ取り出して原稿複写位置に搬送する原稿搬送部材とを有する原稿給紙装置、
（Ａ02）原稿画像を複写するための複写用シートを収容する複数の給紙トレイであってシート種類またはシートサイズの異なるシートをそれぞれ収容する前記複数の給紙トレイと、原稿に応じて定まる複写用シートが収容されている給紙トレイから前記複写用シートを取り出す給紙部材とを有する複写シート給紙装置、
（Ａ03）前記取り出された複写シートを、画像記録位置およびシート排出トレイに順次搬送するシート搬送装置、
（Ａ04）前記原稿複写位置に搬送された原稿の画像を、前記画像記録位置を通過する複写シート上に記録する画像記録部材、
（Ａ05）１枚のタブ原稿と１枚以上の通常原稿とにより構成される１セットの原稿束または前記１セットの原稿束を複数セット有する複数セット原稿束に対して、１セットの原稿束毎に複写用の処理動作を設定し、前記複数セットの原稿束の複写動作をまとめて１ジョブとするビルドジョブモードを選択するビルドジョブモード選択手段、
（Ａ06）前記ビルドジョブモードが選択された場合にタブ原稿が１セットの原稿束の最初の位置かまたは最後の位置のいずれに配置されているかを入力するタブ原稿位置入力手段、
（Ａ07）タブ原稿を複写するタブ原稿複写シートを収容するタブ原稿複写シート給紙トレイとタブの無い通常の原稿を複写する通常原稿複写シートを収容する通常原稿複写シート給紙トレイとを含む前記複数の給紙トレイ、
（Ａ08）タブ原稿複写シートを収容する給紙トレイが前記複数の給紙トレイの中のどの給紙トレイであるかを入力するタブ原稿複写シート給紙トレイ入力手段、
（Ａ09）ビルドジョブモードが選択された状態で、タブ原稿でない通常原稿の画像を複写する際には前記通常原稿複写シート給紙トレイから通常原稿複写シートを給紙し且つタブ原稿の画像を複写する際には前記タブ原稿複写シート給紙トレイからタブ原稿複写シートを給紙するように前記複写シート給紙装置の動作を制御する複写シート給紙制御手段。
【請求項２】
次の構成要件（Ａ010），（Ａ011）を備えた請求項１記載の画像形成装置、
（Ａ010）同一種類の複数のタブ原稿のタブが配置される全領域の画像を読み取ることを入力するタブ配置全領域画像読取入力手段、
（Ａ011）タブ原稿のタブが配置される全領域の画像を読み取るタブ配置全領域画像読取手段。
【請求項３】
次の構成要件（Ａ012），（Ａ013）を備えた請求項２記載の画像形成装置、
（Ａ012）感光体表面を一様に帯電させ、その表面に潜像形成装置により静電潜像を形成し、前記静電潜像をトナー像に現像するトナー像形成装置と、前記トナー像を複写用のシートに転写する転写装置とを有する前記画像記録部材、
（Ａ013）タブ原稿のタブが配置される全領域の画像の中で、各タブ原稿のタブ個別領域のみの静電潜像を形成するタブ個別領域潜像形成手段。
【請求項４】
次の構成要件（Ａ014），（Ａ015）を備えた請求項１記載の画像形成装置、
（Ａ014）タブ原稿毎のタブが配置されるタブ個別領域の画像を読み取ることを入力するタブ個別領域読取入力手段、
（Ａ015）各タブ原稿のタブが配置されるタブ個別領域の画像を読み取るタブ個別領域画像読取手段。
【請求項５】
次の構成要件（Ａ016），（Ａ017）を備えた請求項３または４記載の画像形成装置、
（Ａ016）１セットの原稿束を複数セット有する複数セット原稿束に対して、１セットの原稿束毎に複写用の処理動作を設定する際、１セット目の設定時に１セット目のタブ原稿の原稿タブ位置の設定を行う原稿タブ位置入力手段、および前記１セット目の設定時に２セット目以降の原稿束のタブ原稿の原稿タブ位置を自動設定するためのタブ位置変更方向を設定するタブ位置設定方向入力手段、
（Ａ017）原稿タブ位置を前記１セット目のタブ原稿の原稿タブ位置および前記設定されたタブ位置変更方向に基づいて、２セット目以降の原稿束のタブ原稿のタブ位置を自動設定する２セット目以降原稿タブ位置自動設定手段。
【発明の詳細な説明】
【技術分野】
【０００１】
本発明は、複数の原稿をセットする原稿給紙トレイと、複数サイズの複写シートを収容する給紙トレイとを有し、前記複数の原稿のサイズに応じたサイズの複写シートを前記給紙トレイから給紙してその複写シートに原稿画像を記録可能な画像形成装置に関し、特に、ファイリング部材にファイルされているタブ原稿を含む原稿束を複写する際に、タブ原稿の画像はタブ付きの複写シートに複写できるようにした画像形成装置に関する。
【背景技術】
【０００２】
従来の前記画像形成装置では、ファイリング部材にファイルされたタブ原稿を含む原稿束を全て複写する場合、タブ原稿とタブの無い通常原稿とを含む原稿束を原稿給紙トレイにセットした状態で、通常通りの複写を行うと、タブの部分に記載された画像が複写されずに普通紙に複写されることになる。
このような問題点を解消するための簡単な方法は、タブ原稿と通常の原稿とに分離して、タブ原稿のみを特定の複写シートに複写し、通常原稿のみを普通の複写シートに複写する方法が考えられる。しかし、この方法では、ファイリング部材にファイルされたタブ原稿を含む原稿束の中から、タブ原稿のみを抜き出して複写し、複写した後で、前記抜き出したタブ原稿を前記原稿束の中の元の位置に挿入しなければならない。前記ファイリング部材にファイルされた原稿束の中に多数のタブ原稿が有る場合には、前記原稿束から抜き出した多数のタブ原稿を元の位置に戻す作業が面倒である。また、タブ原稿と通常原稿とが分離された状態で複写されるので、複写した後で、タブ原稿の複写シートを、通常原稿の複写シートの中の適切な位置に挿入する作業が必要になる。
【０００３】
また、従来の画像形成装置において、複数の普通紙原稿の中にタブ紙作成用の原稿（タブ部への複写文字を印刷された普通紙原稿）を挿入した原稿束の原稿を複写する際、タブ紙作成用の原稿のタブ部印刷用文字をタブ紙のタブ部へ複写できるようにした画像形成装置が従来公知である。
前記種類の画像形成装置は、次の特許文献１または２に記載されている。
（１）特許文献１（特開２００２−１９２４３）
（２）特許文献２（特開２００２−２７１５６７）
特許文献１または２には、タブ紙インサートモードで複写する際にタブ紙給紙手段からのタブ紙をインサートするページ、タブ紙のタブ分割数、および所定の画像をタブ紙のタブ部へ移動させる移動量を各々設定するタブ紙インサートモード設定手段と、前記タブ紙インサートモード設定手段によって設定された頁にタブ紙をインサートし、設定された移動量を参照して所定の画像（タブ印刷用文字）をタブ紙のタブ部に移動するように画像形成手段を制御する制御手段とを備えた画像形成装置が記載されている。
【０００４】
【特許文献１】特開２００２−１９２４３
【特許文献２】特開２００２−２７１５６７
【発明の開示】
【発明が解決しようとする課題】
【０００５】
（前記特許文献１，２記載の技術の問題点）
前記特許文献１，２に記載された技術は、複数の普通紙原稿の中にタブ紙作成用の原稿（タブ部への複写文字を印刷された普通紙原稿）を挿入した原稿束の原稿を複写する際、タブ紙作成用の原稿のタブ部印刷用文字をタブ紙のタブ部へ複写できるようにした画像形成装置であって、タブ原稿を含む原稿束を複写する際にタブ原稿の画像はタブ付きの複写シートに複写できるようにした画像形成装置ではない。
また、特許文献１，２記載の画像形成装置では、複数の普通紙原稿の中に挿入されたタブ紙作成用の原稿（タブ部への複写文字を印刷された普通紙原稿）が何頁目に有るのかを入力する必要がある。タブ紙作成用の原稿が多数有る場合には、頁番号を間違えないように入力しなければならない。前記頁番号の入力間違いをすると、タブ紙の挿入位置が間違ってしまうという問題点がある。
【０００６】
本発明は、前述の事情に鑑み、次の記載内容（Ｏ01）を課題とする。
（Ｏ01）タブ原稿とタブ無しの通常原稿とを含む原稿束を複写する際に、タブ原稿の正確な頁番号を入力することなく、タブ原稿をタブ付きの複写シートに確実に且つ間違えずに複写できるようにすること。
【課題を解決するための手段】
【０００７】
次に、前記課題を解決した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００８】
（本発明）
前記課題を解決するために、本発明の画像形成装置は、次の構成要件（Ａ01）〜（Ａ09）を備えたことを特徴とする。
（Ａ01）複数の原稿（Ｇｉ）を重ねて収容可能な原稿給紙トレイ（ＴＧ１）と、複写用の処理動作時に前記複数の原稿（Ｇｉ）の中から１枚づつ取り出して原稿複写位置に搬送する原稿搬送部材（Ｇｈ＋Ｇｒ）とを有する原稿給紙装置（ＴＧ１＋Ｇｈ＋Ｇｒ）、
（Ａ02）原稿画像を複写するための複写用シートを収容する複数の給紙トレイ（ＴＲ１〜ＴＲ４）であってシート種類またはシートサイズの異なるシートをそれぞれ収容する前記複数の給紙トレイ（ＴＲ１〜ＴＲ４）と、原稿（Ｇｉ）に応じて定まる複写用シートが収容されている給紙トレイ（ＴＲ１〜ＴＲ４）から前記複写用シートを取り出す給紙部材（Ｒｐ）とを有する複写シート給紙装置（ＴＲ１〜ＴＲ４＋Ｒｐ）、
（Ａ03）前記取り出された複写シートを、画像記録位置（Ｑ４）およびシート排出トレイ（ＴＲｈ，１７）に順次搬送するシート搬送装置（ＳＨ）、
（Ａ04）前記原稿複写位置に搬送された原稿の画像を、前記画像記録位置（Ｑ４）を通過する複写シート上に記録する画像記録部材（ＵＹ，ＵＭ，ＵＣ，ＵＫ＋ＢＭ＋Ｔ２）、
（Ａ05）１枚のタブ原稿（Ｇｉ1）と１枚以上の通常原稿（Ｇｉ2）とにより構成される１セットの原稿束または前記１セットの原稿束を複数セット有する複数セット原稿束に対して、１セットの原稿束毎に複写用の処理動作を設定し、前記複数セットの原稿束の複写動作をまとめて１ジョブとするビルドジョブモードを選択するビルドジョブモード選択手段（ＵＩ４）、
（Ａ06）前記ビルドジョブモードが選択された場合にタブ原稿（Ｇｉ1）が１セットの原稿束の最初の位置かまたは最後の位置のいずれに配置されているかを入力するタブ原稿位置入力手段（ＵＩ５d）、
（Ａ07）タブ原稿（Ｇｉ1）を複写するタブ原稿複写シートを収容するタブ原稿複写シート給紙トレイとタブの無い通常の原稿（Ｇｉ2）を複写する通常原稿複写シートを収容する通常原稿複写シート給紙トレイとを含む前記複数の給紙トレイ（ＴＲ１〜ＴＲ４）、
（Ａ08）タブ原稿複写シートを収容する給紙トレイが前記複数の給紙トレイ（ＴＲ１〜ＴＲ４）の中のどの給紙トレイであるかを入力するタブ原稿複写シート給紙トレイ入力手段（ＵＩ５c）、
（Ａ09）ビルドジョブモードが選択された状態で、タブ原稿（Ｇｉ1）でない通常原稿（Ｇｉ2）の画像を複写する際には前記通常原稿複写シート給紙トレイから通常原稿複写シートを給紙し且つタブ原稿（Ｇｉ1）の画像を複写する際には前記タブ原稿複写シート給紙トレイからタブ原稿複写シートを給紙するように前記複写シート給紙装置（ＴＲ１〜ＴＲ４＋Ｒｐ）の動作を制御する複写シート給紙制御手段（Ｃ１１）。
【０００９】
（本発明の作用）
前記構成要件（Ａ01）〜（Ａ09）を備えた本発明の画像形成装置では、原稿給紙装置（ＴＧ１＋Ｇｈ＋Ｇｒ）の原稿給紙トレイ（ＴＧ１）は複数の原稿（Ｇｉ）を重ねて収容する。複写用の処理動作時には原稿搬送部材（Ｇｈ＋Ｇｒ）は、前記複数の原稿（Ｇｉ）の中から１枚づつ取り出して原稿複写位置に搬送する。
複写シート給紙装置（ＴＲ１〜ＴＲ４＋Ｒｐ）の複数の給紙トレイ（ＴＲ１〜ＴＲ４）は、原稿画像を複写するための複写用シートであってシート種類またはシートサイズの異なるシートをそれぞれ収容する。前記複数の給紙トレイ（ＴＲ１〜ＴＲ４）は、タブ原稿（Ｇｉ1）を複写するタブ原稿複写シートを収容する給紙トレイを含んでいる。給紙部材は、原稿（Ｇｉ）に応じて定まる複写用シートが収容されている給紙トレイから前記複写用シートを取り出す。
シート搬送装置（ＳＨ）は、前記取り出された複写シートを、画像記録位置（Ｑ４）およびシート排出トレイ（ＴＲｈ，１７）に順次搬送する。
画像記録部材（ＵＹ，ＵＭ，ＵＣ，ＵＫ＋ＢＭ＋Ｔ２）は、前記原稿複写位置に搬送された原稿画像を、前記画像記録位置（Ｑ４）を通過する複写シート上に記録する。
画像形成装置のユーザはビルドジョブモード選択手段（ＵＩ４）によりビルドジョブモードを選択することにより、１枚のタブ原稿（Ｇｉ1）と１枚以上の通常原稿（Ｇｉ2）とにより構成される１セットの原稿束または前記１セットの原稿束を複数セット有する複数セット原稿束に対して、１セットの原稿束毎に複写用の処理動作を設定し、前記複数セットの原稿束の複写動作をまとめて１ジョブとする画像形成動作を設定することができる。
前記ビルドジョブモードが選択された場合にタブ原稿位置入力手段（ＵＩ５d）により、タブ原稿（Ｇｉ1）が１セットの原稿束の最初の位置かまたは最後の位置のいずれに配置されているかを入力することができる。
ユーザはタブ原稿複写シート給紙トレイ入力手段（ＵＩ５c）により、タブ原稿複写シートを収容する給紙トレイが前記複数の給紙トレイ（ＴＲ１〜ＴＲ４）の中のどの給紙トレイであるかを入力することができる。
複写シート給紙制御手段（Ｃ１１）は、ビルドジョブモードが選択された状態で、タブ原稿（Ｇｉ1）でない通常原稿（Ｇｉ2）の画像を複写する際には前記通常原稿複写シート給紙トレイから通常原稿複写シートを給紙し且つタブ原稿（Ｇｉ1）の画像を複写する際には前記タブ原稿複写シート給紙トレイからタブ原稿複写シートを給紙するように前記複写シート給紙装置（ＴＲ１〜ＴＲ４＋Ｒｐ）の動作を制御する。
前記１セットの原稿束にはタブ原稿（Ｇｉ1）が１枚のみであり、前記タブ原稿（Ｇｉ1）の位置は１セットの原稿束の最初または最後であるので、タブ原稿（Ｇｉ1）の頁番号を正確に入力せずに、タブ原稿（Ｇｉ1）をタブ原稿複写シートに確実に複写することができる。したがって、タブ原稿複写シートとして、タブ原稿（Ｇｉ1）と同じ位置にタブを有するタブ付き複写シートを使用することにより（タブ原稿複写シート用の給紙トレイにタブ原稿（Ｇｉ1）と同じ位置にタブを有するタブ付き複写シートを収容しておくことにより）、タブ原稿（Ｇｉ1）をタブ付複写シートに確実に複写することができる。
【００１０】
（本発明の形態１）
本発明の形態１の画像形成装置は、前記本発明の画像形成装置において次の構成要件（Ａ010），（Ａ011）を備えたことを特徴とする。
（Ａ010）同一種類の複数のタブ原稿のタブが配置される全領域の画像を読み取ることを入力するタブ配置全領域画像読取入力手段（ＵＩ５f）、
（Ａ011）タブ原稿のタブが配置される全領域の画像を読み取るタブ配置全領域画像読取手段（Ｃ１２）。
前記構成要件（Ａ010），（Ａ011）を備えた本発明の形態１の画像形成装置では、タブ配置全領域画像読取入力手段により、タブ原稿のタブが配置される全領域の画像を読み取ることを入力された場合には、タブ配置全領域画像読取手段（Ｃ１２）は、各タブ原稿を読取る場合に、各タブ原稿のタブの配置されている領域（個別タブ領域）だけでなく、タブ原稿のタブが配置される全領域の画像を読み取る。
【００１１】
（本発明の形態２）
本発明の形態２の画像形成装置は前記本発明の形態１の画像形成装置において次の構成要件（Ａ012），（Ａ013）を備えたことを特徴とする。
（Ａ012）感光体表面を一様に帯電させ、その表面に潜像形成装置（ＲＯＳｙ〜ＲＯＳｋ）により静電潜像を形成し、前記静電潜像をトナー像に現像するトナー像形成装置（ＵＹ，ＵＭ，ＵＣ，ＵＫ）と、前記トナー像を複写用のシート（Ｓ）に転写する転写装置（ＢＭ＋Ｔ２）とを有する前記画像記録部材（ＵＹ，ＵＭ，ＵＣ，ＵＫ＋ＢＭ＋Ｔ２）、
（Ａ013）タブ原稿のタブが配置される全領域の画像の中で、各タブ原稿のタブ個別領域のみの静電潜像を形成するタブ個別領域潜像形成手段（Ｃ４ａ）。
（本発明の形態２の作用）
前記構成要件（Ａ012），（Ａ013）を備えた本発明の形態２の画像形成装置では、タブ領域以外の画像領域は通常通りに画像が形成される。しかし、タブ個別領域潜像形成手段（Ｃ４ａ）は、タブ原稿のタブが配置される全領域の画像の中で、各タブ原稿のタブ個別領域のみの静電潜像を形成する。その場合、前記画像記録部材（ＵＹ，ＵＭ，ＵＣ，ＵＫ＋ＢＭ＋Ｔ２）のトナー像形成装置（ＵＹ，ＵＭ，ＵＣ，ＵＫ）は、タブ原稿のタブが配置される全領域の画像の中で、各タブ原稿のタブ個別領域のみに形成された静電潜像をトナー像に現像する。転写装置（ＢＭ＋Ｔ２）は、前記トナー像を複写用のシート（Ｓ）に転写する。
【００１２】
（本発明の形態３）
本発明の形態３の画像形成装置は前記本発明の画像形成装置において次の構成要件（Ａ014），（Ａ015）を備えたことを特徴とする。
（Ａ014）タブ原稿毎のタブが配置されるタブ個別領域の画像を読み取ることを入力するタブ個別領域読取入力手段（ＵＩ５g）、
（Ａ015）各タブ原稿のタブが配置されるタブ個別領域の画像を読み取るタブ個別領域画像読取手段（Ｃ１３）。
（本発明の形態３の作用）
前記構成要件（Ａ014），（Ａ015）を備えた本発明の形態３の画像形成装置では、タブ個別領域読取入力手段（ＵＩ５g）により、タブ原稿毎のタブが配置されるタブ個別領域の画像を読み取ることが入力されると、タブ個別領域画像読取手段（Ｃ１３）は、各タブ原稿のタブが配置されるタブ個別領域の画像を読み取る。
【００１３】
（本発明の形態４）
本発明の形態４の画像形成装置は前記本発明の形態２または３の画像形成装置において次の構成要件（Ａ016），（Ａ017）を備えたことを特徴とする。
（Ａ016）１セットの原稿束を複数セット有する複数セット原稿束に対して、１セットの原稿束毎に複写用の処理動作を設定する際、１セット目の設定時に１セット目のタブ原稿の原稿タブ位置の設定を行う原稿タブ位置入力手段（ＵＩ５d）、および前記１セット目の設定時に２セット目以降の原稿束のタブ原稿の原稿タブ位置を自動設定するためのタブ位置変更方向を設定するタブ位置設定方向入力手段（ＵＩ５h）、
（Ａ017）原稿タブ位置を前記１セット目のタブ原稿の原稿タブ位置および前記設定されたタブ位置変更方向に基づいて、２セット目以降の原稿束のタブ原稿のタブ位置を自動設定する２セット目以降原稿タブ位置自動設定手段（Ｃ１４）。
【００１４】
（本発明の形態４の作用）
前記構成要件（Ａ016），（Ａ017）を備えた本発明の形態４の画像形成装置では、１セットの原稿束を複数セット有する複数セット原稿束に対して、１セットの原稿束毎に複写用の処理動作を設定する際、原稿タブ位置入力手段（ＵＩ５d）は１セット目の設定時に１セット目のタブ原稿の原稿タブ位置の設定を行う。タブ位置設定方向入力手段（ＵＩ５h）は、前記１セット目の設定時に２セット目以降の原稿束のタブ原稿の原稿タブ位置を自動設定するためのタブ位置変更方向を設定する。
２セット目以降原稿タブ位置自動設定手段（Ｃ１４）は、原稿タブ位置を前記１セット目のタブ原稿の原稿タブ位置および前記設定されたタブ位置変更方向に基づいて、２セット目以降の原稿束のタブ原稿のタブ位置を自動設定する。
【発明の効果】
【００１５】
前述の本発明の画像形成装置は、下記の効果（Ｅ01）を奏する。
（Ｅ01）タブ原稿とタブ無しの通常原稿とを含む原稿束を複写する際に、タブ原稿の正確な頁番号を入力することなく、タブ原稿をタブ付きの複写シートに確実に且つ間違えずに複写することができる。
【発明を実施するための最良の形態】
【００１６】
次に図面を参照しながら、本発明の実施の形態の画像形成装置を説明するが、本発明は以下の実施の形態に限定されるものではない。
【実施例１】
【００１７】
図１は本発明の画像形成装置の実施例１の説明図である。
図２は本発明の画像形成装置の実施例１で使用される先頭原稿にタブ原稿が配置された原稿束の説明図で、図２Ａは１セット目の原稿束の例を示す図、図２Ｂは２セット目の原稿束の例を示す図である。
図３は本発明の画像形成装置の実施例１で使用される最終原稿にタブ原稿が配置された原稿束の説明図で、図３Ａは１セット目の原稿束の例を示す図、図３Ｂは２セット目の原稿束の例を示す図である。
図１において、実施例１の画像形成装置（デジタル複写機）Ｕは、プリンタ（画像形成装置本体）Ｕ１、イメージスキャナＵ２、自動原稿搬送装置Ｕ３を有している。
前記自動原稿搬送装置Ｕ３は、イメージスキャナＵ２上面のプラテンガラスＰＧ上に支持されている。
【００１８】
前記自動原稿搬送装置Ｕ３は、複写しようとする複数の原稿Ｇｉが重ねて載置される原稿給紙トレイＴＧ１を有している。図２、図３に示すように、前記複数の原稿Ｇiの中にはタブの付いた１枚のタブ原稿Ｇｉ1とタブの無い複数枚の通常原稿Ｇｉ2を含ませることが可能である。
前記原稿給紙トレイＴＧ１に載置された複数の各原稿Ｇｉは、原稿搬送路Ｇｈおよび複数の原稿搬送ロールＧｒにより、順次プラテンガラスＰＧ上の複写位置（プラテンロールＧＲ１の圧接位置）に搬送される。前記複写位置を通過した原稿Ｇｉは、原稿排出ロールＧＲ２から原稿排紙トレイＴＧ２に排出されるように構成されている。前記原稿搬送路Ｇｈおよび複数の原稿搬送ロールＧｒにより原稿搬送部材（Ｇｈ＋Ｇｒ）が構成され、前記原稿給紙トレイＴＧ１、原稿搬送路Ｇｈおよび原稿搬送ロールＧａにより、前記原稿給紙トレイＴＧ１に収容された原稿Ｇｉを前記複写位置に搬送する原稿給紙装置（ＴＧ１＋Ｇｈ＋Ｇｒ）が構成されている。
前記自動原稿搬送装置Ｕ３は、その後端部（図１の紙面の背面側部分）に設けた左右方向に延びるヒンジ軸（図示せず）により前記プラテンガラスＰＧ上面に対して回動可能であり、原稿Ｇｉを作業者が手でプラテンガラスＰＧ上に置く場合に上方に回動される。
【００１９】
前記イメージスキャナＵ２は、ユーザがコピースタート等の作動指令信号を入力操作するＵＩ（ユーザインタフェース）（図１、図４参照）を有している。
前記透明なプラテンガラスＰＧの下方には原稿画像を読み取るための露光光学系Ａが配置されている。
前記自動原稿搬送装置Ｕ３でプラテンガラスＰＧ上面に搬送されて前記複写位置を通過する原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム）は、ＣＣＤから入力されるＲ，Ｇ，Ｂ（レッド、グリーン、ブルー）の電気信号をＹ，Ｍ，Ｃ，Ｋ（イエロー、マゼンタ、シアン、黒）の画像データ（デジタルデータ）に変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）のレーザダイオード（図示せず）に出力する。なお、前記ＵＩ（ユーザインタフェース）、ＩＰＳおよびレーザ駆動回路ＤＬと、後述の現像ロールＧ０、転写ロールＴ１、２次転写ロール（シート転写部材）Ｔ２b等にバイアス電圧を印加する電源回路Ｅ等の動作はコントローラＣにより制御される。
【００２０】
前記ＩＰＳが出力するＹＭＣＫの４色の画像データ（レーザ駆動データ）が入力されたレーザ駆動回路ＤＬは、入力された前記各色の画像データに応じた各色のレーザ駆動信号を所定のタイミングで、各色のＲＯＳ（潜像形成装置）に出力する。
【００２１】
各像担持体（感光体）Ｐｙ，Ｐｍ，Ｐｃ，Ｐｋはそれぞれの帯電ロール（帯電部材）ＣＲにより一様に帯電された後、前記各色のＲＯＳｙ〜ＲＯＳｋ（潜像形成装置）の出力する光ビームによりその表面に静電潜像が形成される。前記像担持体Ｐｙ，Ｐｍ，Ｐｃ，Ｐｋ表面の静電潜像はそれぞれ、各現像器Ｇｙ，Ｇｍ，Ｇｃ，Ｇｋと対向する現像領域において各色ＹＭＣＫのトナー像に現像される。なお、前記各現像器Ｇｙ，Ｇｍ，Ｇｃ，Ｇｋは、各色のトナーを収容した現像容器と、前記現像容器に回転可能に支持され且つ前記像担持体Ｐｙ，Ｐｍ，Ｐｃ，Ｐｋ表面の静電潜像にトナーを搬送してトナー像に現像する現像ロールＧ０を有している。なお、前記各色の現像器Ｇｙ，Ｇｍ，Ｇｃ，Ｇｋの現像容器にはトナーカートリッジＴｙ〜Ｔｋから各色のトナーが補給されるように構成されている。
【００２２】
前記現像された各色ＹＭＣＫのトナー像は、前記各像担持体Ｐｙ，Ｐｍ，Ｐｃ，Ｐｋとエンドレスの中間転写ベルト（像担持体）Ｂとが接触する１次転写領域Ｑ３に搬送される。前記各１次転写領域Ｑ３において中間転写ベルトＢの裏面側に配置された１次転写ロールＴ１には、コントローラＣにより制御される電源回路Ｅから所定のタイミングで現像剤の帯電極性と逆極性の１次転写電圧が印加される。前記各像担持体Ｐｙ〜Ｐｋ上のトナー像は前記各１次転写ロールＴ１に対向する１次転写領域Ｑ３において中間転写ベルトＢに重ねて１次転写される。１次転写後の像担持体Ｐｙ，Ｐｍ，Ｐｃ，Ｐｋ表面の残留トナーは、像担持体クリーナＣＬｐで除去される。
【００２３】
前記各像担持体Ｐｙ〜Ｐｋ、各色のＲＯＳｙ〜ＲＯＳｋ（潜像形成装置）、各色の現像器Ｇｙ〜Ｇｋによって、前記各像担持体Ｐｙ〜Ｐｋ上に各色のトナー像を形成する各色のトナー像形成装置ＵＹ（Ｐｙ＋ＲＯＳｙ＋Ｇｙ），ＵＭ（Ｐｍ＋ＲＯＳｍ＋Ｇｍ），ＵＣ（Ｐｃ＋ＲＯＳｃ＋Ｇｃ），ＵＫ（Ｐｋ＋ＲＯＳｋ＋Ｇｋ）が構成される。
【００２４】
前記各色の像担持体Ｐｙ，Ｐｍ，Ｐｃ，Ｐｋの下方には左右一対のスライドレールＳＲ，ＳＲによりスライドフレームＦ１が前後方向（紙面に垂直な方向、すなわち、Ｘ軸方向）にスライド移動可能に支持されている。スライドフレームＦ１にはベルトモジュールＢＭのベルトフレームＦ２が上昇した動作位置（像担持体Ｐｙ〜Ｐｋに接触する位置）と下方に移動したメンテナンス位置（像担持体Ｐｙ〜Ｐｋから下方に離れた位置）との間で昇降可能に支持されている。前記ベルトモジュールＢＭが前記ベルトメンテナンス位置に下降した状態では、前記スライドフレームＦ１およびこれに支持されたベルトモジュールＢＭを、前記像担持体ＰＲと摩擦接触させることなく、画像形成装置本体Ｕ１に対して出入させることができるように構成されている。
前記スライドフレームＦ１を前後移動させる構成およびベルトモジュールＢＭを昇降させる構成は、従来公知（例えば、特開平８−１７１２４８号公報参照）であり、従来公知の種々の構成を採用することが可能である。
【００２５】
前記ベルトモジュールＢＭは、前記中間転写ベルトＢと、ベルト駆動ロールＲｄ、テンションロールＲｔ、ウォーキングロールＲｗ、複数のアイドラロール（フリーロール）ＲｆおよびバックアップロールＴ２ａを含むベルト支持ロール（Ｒｄ，Ｒt，Ｒｗ，Ｒｆ，Ｔ２ａ）と、前記４個の１次転写ロールＴ１とを有している。そして、前記中間転写ベルトＢは前記ベルト支持ロール（Ｒｄ，Ｒt，Ｒｗ，Ｒｆ，Ｔ２ａ）により矢印Ｙａ方向に回転移動可能に支持されている。
【００２６】
前記バックアップロールＴ２aに接する中間転写ベルトＢの表面に対向して２次転写ロール（シート転写部材）Ｔ２bが配置されており、中間転写ベルトＢおよび２次転写ロールＴ２bの対向する領域には２次転写領域（シート転写領域、画像記録位置）Ｑ４が形成される。前記２次転写ロールＴ２bにはコントローラＣにより制御される電源回路Ｅから所定のタイミングで現像剤の帯電極性と逆極性の２次転写電圧が印加される。前記２次転写ロールＴ２bに対向して配置された前記バックアップロールＴ２aはアース（接地）されており、前記２次転写ロールＴ２bに２次転写電圧が印加されたときには、前記２次転写ロールＴ２bおよびバックアップロールＴ２a間には２次転写電界が形成される。前記バックアップロールＴ２aおよび２次転写ロールＴ２bにより２次転写器Ｔ２が構成される。
前記４個の１次転写ロールＴ１および中間転写ベルトＢを含むベルトモジュールＢＭと、２次転写器Ｔ２等により、トナー像形成装置（ＵＹ，ＵＭ，ＵＣ，ＵＫ）の像担持体Ｐｙ〜Ｐｋ表面に形成されたトナー像を記録シートＳに転写する転写装置（ＢＭ＋Ｔ２）が構成されている。
前記トナー像形成装置（ＵＹ，ＵＭ，ＵＣ，ＵＫ）および転写装置（ＢＭ＋Ｔ２）により前記２次転写領域（画像記録位置）において複写用のシートに画像を記録する画像記録部材（ＵＹ，ＵＭ，ＵＣ，ＵＫ＋ＢＭ＋Ｔ２）が構成されている。
【００２７】
プリンタ（画像形成装置本体）Ｕ１の下部には、シートＳを収容したカセットトレイ（給紙トレイＴ）Ｒ１〜ＴＲ３および給紙用シート搬送路ＳＨ１が設けられている。また、前記給紙用シート搬送路ＳＨ１には手差トレイ（給紙トレイ）ＴＲ４からも給紙ロールＲｐにより給紙できるように構成されている。前記カセットトレイ（給紙トレイ）ＴＲ１〜ＴＲ３に収容されたシートＳは、所定のタイミングでピックアップロール（給紙部材）Ｒｐにより取り出され、さばきロールＲｓで１枚づつ分離されて、複数の搬送ロールＲａによりレジロールＲｒに搬送される。また、手差トレイ（給紙トレイ）ＴＲ４から給紙されたシートは搬送ロールＲａによりレジロールＲｒに搬送される。前記レジロールＲｒに搬送された記録シートＳは、前記中間転写ベルトＢに１次転写された多重トナー像または単色トナー像が２次転写領域Ｑ４に移動するのにタイミングを合わせて、２次転写領域Ｑ４に搬送される。
前記２次転写領域Ｑ４を記録シートＳが通過する際、２次転写ロールＴ２bに前記２次転写電圧が印加されるので、前記中間転写ベルトＢに重ねて１次転写されたカラートナー像は、前記２次転写領域Ｑ４において一括して記録シートＳに２次転写される。
２次転写後の中間転写ベルトＢはベルトクリーナＣＬbにより残留トナーが除去される。
【００２８】
トナー像が２次転写された前記記録シートＳは、転写後シートガイドＳＧ、シート搬送ベルトＨＢにより定着装置Ｆに搬送される。定着装置Ｆは一対の圧接する加熱ロールＦｈおよび加圧ロールＦｐ（図１参照）を有しており、前記加熱ロールＦｈおよび加圧ロールＦｐの圧接領域により定着領域Ｑ５が形成されている。前記記録シートＳ上のトナー像は前記定着領域Ｑ５を通過する際に、加熱定着される。トナー像が定着された記録シートＳは、切替ゲートＧＴ１により、排出用シート搬送路ＳＨ２または両面記録用シート搬送路ＳＨ３に搬送される。両面記録用シート搬送路ＳＨ３に搬送された片面記録済の記録シートはその後端がマイラゲートＧＴ１を一旦通過した直後にスイッチバックして反転した状態で前記レジロールＲｒに再送される。また、排出用シート搬送路ＳＨ２に搬送されたシートは切替ゲートＧＴ３により、記排紙トレイＴＲｈまたは後処理装置Ｕ４に排出される。
前記符号Ｒｐ，Ｒｓ，Ｒａ，Ｒｒ，ＳＧ，ＨＢ，ＳＨ１，ＳＨ２，ＳＨ３等で示された要素によりシート搬送装置ＳＨが構成されている。
前記符号ＳＨ１，ＳＨ２，ＳＨ３で示された要素によりシート搬送路（ＳＨ１〜ＳＨ３）が構成されている。また、前記符号Ｒｐ，Ｒｓ，Ｒａ，Ｒｒ，ＨＢ等で示された要素によりシート搬送部材（Ｒｐ，Ｒｓ，Ｒａ，Ｒｒ，ＨＢ）が構成されている。
【００２９】
（後処理装置）
図１において、前記複写機ＵのプリンタＵ１に接続された後処理装置Ｕ４は、プリンタ（画像形成装置本体）Ｕ１と接続する面（後処理装置の図１で左側面）に、複写機（画像形成装置）Ｕで複写されたシートＳを搬入するシート搬入口１が配置されている。このシート搬入口１には搬送ローラ２が配置されている。搬送ローラ２に接続するシート搬入路３の終端（図１中、右端）には搬入路終端ローラ４が配置されている。
前記後処理装置Ｕ４の上端部にはインタポーザＩＰが設けられており、インタポーザＩＰは後処理装置Ｕ４の上端に設けたインタポーズ用の給紙トレイＴＲ５と、給紙トレイＴＲ５に収容されたシートを搬入路終端ローラ４に搬送するインタポーズ用シート搬送路ＳＨ６とを有している。
インタポーザ用給紙トレイＴＲ５から給紙されたインタポーズ用シートまたは前記シート搬入口１から搬入された複写済シートＳは、前記搬入路終端ローラ４からコンパイルトレイＣＴに搬入される。
【００３０】
コンパイルトレイＣＴは、外方（図１で右方）に行くに従って上昇するように傾斜して配置されている。このコンパイルトレイＣＴには前後方向のシート揃えを行うための前後一対のタンパ５が設けられ、コンパイルトレイＣＴの左端は、シート左端位置決め部６として構成されている。また、このコンパイルトレイＣＴの左端側にはステープラＳＴが配置されている。
【００３１】
ステープラＳＴは、針打ち出し部ＳＴａ、針受部ＳＴｂ、およびカム７等を有している。前記針受部ＳＴｂはコンパイルトレイＣＴの上方に配置され固定されている。カム７が回転したとき針打ち出し部ＳＴａが上方に回動してステープル針８により、コンパイルトレイＣＴに収容されたシートをステープルする（綴じる）ように構成されている。
コンパイルトレイＣＴの右端にはシート排出装置９が設けられている。シート排出装置９は、上下一対のシート排出ローラ１１及び１２を有している。上側排出ローラ１１を支持する揺動アーム１３は、引っ張りバネ１４により下方に付勢されて（図１の２点鎖線で示す位置に保持されて）いるが、必要なときにはソレノイド１５により上方位置（図１の実線位置参照）に保持されるようになっている。
後処理装置Ｕ４の右側壁には、前記上側シート排出ローラ１１および下側シート排出ローラ１２に隣接してシート排出口１６が形成されている。そして、シート排出口１６の外側にはスタックトレイ１７が配置されている。
【００３２】
コンパイルトレイＣＴに収容されたシートＳをスタックトレイ１７に排出するときには上側排出ローラ１１は下方に降下した位置（下側排出ローラ１１に向けて押圧される位置）において回転自由な状態に保持される。また、下側排出ローラ１１はコンパイルトレイＣＴ内のシートＳをスタックトレイ１７に排出するときには図１で時計方向に回転駆動されるようになっている。
さらに、前記上側排出ローラ１１はコンパイルトレイＣＴ内に順次搬入されるシートの左端を揃えるため、前記下方に降下した位置（図１の２点鎖線位置参照）において時計方向に回転駆動されるようになっている。このような、上側排出ローラ１１の回転自由な状態と回転駆動される状態とはクラッチ（図示せず）のオン、オフにより切り換えることができる。
【００３３】
前記コンパイルトレイＣＴの右側の端部の下面は、後処理装置Ｕ４のフレームに支持されたヒンジ軸２１回りに回転自在に支持されている。このため、コンパイルトレイＣＴはヒンジ軸２１回りに揺動自在に支持されている。
コンパイルトレイＣＴはさらに、左側の所定の位置において、シートＳを針受部ＳＴｂへ接近させる手段であるスプリング２２の一方の端部と接続され、スプリング２２の他方の端部が上方の後処理装置Ｕ４のフレーム（図示せず）へ固定され、上方へ揺動するように付勢される。このスプリング２２の付勢により、コンパイルトレイＣＴは所定の傾斜角度に保持され且つ揺動可能とされる。
【００３４】
プリンタ（画像形成装置本体）Ｕ１から排出される複写済の記録シートＳは、順次後処理装置Ｕ４へ搬入され、コンパイルトレイＣＴに収容され、タンパ５によりシートの側端縁の位置が揃えられる。記録シートＳがコンパイルトレイＣＴに載置されると、シート枚数が増える毎にコンパイルトレイＣＴ上のシートＳの束の厚みは増加する。また、シート数が増す毎に重量も増加する。重量の増加に伴いコンパイルトレイＣＴを揺動自在に上方へ支持しているスプリング２２の長さが伸長する。シート枚数の増加に伴いシートＳの束の厚みの増加とスプリング２２の長さの伸長量がほぼ同一となるようにスプリングの強さが設定されているため、シート最上面と針受部ＳＴｂとの空間部の距離は常にほぼ一定の大きさに保持される。
【００３５】
プリンタＵ１から後処理装置Ｕ４へのシートＳの搬入が終了後、前記カム７が回転駆動されて、針打出し部Ｔ1が上方へ回転され、ステープル針８がコンパイルトレイＣＴの下面側から打ち出される。ステープル針８はその両端が、コンパイルトレイＣＴ上のシートＳを貫通する。シートＳを貫通し針受部ＳＴｂへ達したステープル針８の端部は、針受部ＳＴｂにより内側へそれぞれ折曲げられる。
上記のステープル作業において、コンパイルトレイＣＴ上のシートＳの束は、シートＳの最上面と針受部ＳＴｂとが当接するまで針打出し部Ｔ1により上方（Ｚ軸方向）へ持ち上げられる。
しかし、コンパイルトレイＣＴの最上面のシートＳと針受部ＳＴｂとの距離は、スプリング２２の付勢により所定の小さな距離に保持されているため、上記の持ち上げられる距離は小さい。よって、コンパイルトレイＣＴ上の複数のシートＳの端部にくさび状のずれは生じない。
【００３６】
コンパイルトレイＣＴ上のステープル作業が完了したシートＳは、上側排出ローラ１１の下降により、ローラ１２と下側排出ローラ１１とにより挟持される。この状態で、ローラ１１を回転駆動するとシートＳは後処理装置Ｕ４の排出口１６からスタックトレイ１７に排出される。
コンパイルトレイＣＴ上からステープル作業完了後のシートＳが排出されると、スプリング２２に加わる荷重が初期状態の値となる。よって、スプリング２２の荷重による伸長はなくなり、コンパイルトレイＣＴと針受部ＳＴｂとの距離も所定の初期値となる。したがって、本実施例１の画像形成装置では、針受部ＳＴｂとコンパイルトレイＣＴとの前記間隔をシート枚数の大小に係らず略一定に保持することが可能となり、シートＳの枚数が少ない場合における前記間隔を小さくすることが可能となる。
【００３７】
（実施例１の制御部の説明）
図４は実施例１の画像形成装置の制御部分が備えている各機能をブロック図（機能ブロック図）で示した図である。
図４において、前記コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００３８】
（前記コントローラＣに接続された信号入力要素）
前記コントローラＣには、次の信号出力要素ＵＩ，ＳＮ１〜ＳＮ３の出力信号Ｔ１〜Ｔ３が入力されている。
ＵＩ：ユーザインタフェース
ユーザインタフェースＵＩは、表示部ＵＩ１、コピースタートキー（複写開始キー）ＵＩ２、コピー枚数入力キーＵＩ３、ビルドジョブモード選択手段ＵＩ４、テンキーＵＩ５、入力位置移動手段ＵＩ６等を備えている。
前記テンキーＵＩ５は、表示部ＵＩ１に表示された表示画面（作動モード選択画面、タブ原稿時項目設定画面（図８、図１６、図１８）等）において、画像読取動作設定値を入力するための数値を入力する入力部材（入力手段）としての機能を有している。すなわち、テンキーＵＩ５は、作動モード入力手段ＵＩ５a、タブ原稿位置入力手段ＵＩ５b、タブ原稿複写シート給紙トレイ入力手段ＵＩ５c、原稿タブ位置入力手段ＵＩ５d、インターポーズ用給紙トレイ入力手段ＵＩ５e、タブ配置全領域画像読取入力手段ＵＩ５f、タブ個別領域読取入力手段ＵＩ５g、タブ位置変更方向入力手段ＵＩ５h等として使用される。
【００３９】
入力位置移動手段ＵＩ６は、本実施例１では、ユーザインタフェースＵＩの表示部ＵＩ１に表示される矢印アイコン（図８、図１６、図１８参照）により構成される。
ＳＮｇ：原稿有無センサ
原稿有無センサＳＮｇは、原稿給紙トレイＴＧ１に収容されている原稿が有るか否かを判断する。
ＳＮ１〜ＳＮ３：給紙トレイＴＲ1〜ＴＲ３に収容された複写用シートのサイズを検出する。
【００４０】
（前記コントローラＣに接続された制御要素）
（コントローラＣに接続された被制御要素）
コントローラＣは、次の被制御要素、ＣＧ、ＣＩ、ＣＡ、ＤＬｙ〜ＤＬｋ、Ｄｙ〜Ｄｋ、Ｄ１〜Ｄ３、Ｅの制御信号を出力している。
ＣＧ：原稿搬送装置コントローラ
原稿搬送装置コントローラＣＧは、原稿搬送装置Ｕ３に内蔵されたコントローラＣＧであり、プリンタ（画像形成装置本体）Ｕ１のコントローラＣの出力する制御信号に応じて原稿搬送装置Ｕ３の動作を制御する。
ＣＩ：イメージスキャナコントローラ
イメージスキャナコントローラＣＩは、イメージスキャナＵ２に内蔵されたコントローラＣＩであり、プリンタＵ１のコントローラＣの出力する制御信号に応じてイメージスキャナＵ２の動作を制御する。
ＣＡ：後処理装置コントローラ
後処理コントローラＣＡは、後処理装置Ｕ４に内蔵されたコントローラＣＡであり、プリンタＵ１のコントローラＣの出力する制御信号に応じて後処理装置Ｕ４の動作を制御する。
【００４１】
ＤＬｙ〜ＤＬｋ：レーザ駆動回路
レーザ駆動回路ＤＬｙ〜ＤＬｋは、ＲＯＳｙ〜ＲＯＳｋ（潜像形成装置）のレーザダイオード（図示せず）を駆動して感光体Ｐｙ〜Ｐｋ表面に静電潜像を形成する。
Ｄｙ〜Ｄｋ：メインモータ駆動回路
メインモータ駆動回路Ｄｙ〜Ｄｋは、メインモータＭｙ〜Ｍｋを駆動することにより図示しないギヤを介してＹ（イエロー）、Ｍ（マゼンタ）、Ｃ（シアン）、Ｋ（黒）各色の像担持体ＰＲｙ〜ＰＲｋおよび現像器Ｇｙ〜Ｇｋの現像ロールＧ０（図１参照）等を回転駆動する。
【００４２】
Ｅ：電源回路
電源回路Ｅは次の電源回路を有している。
Ｅ１ｙ〜Ｅ１ｋ：現像バイアス用電源回路
現像バイアス用電源回路Ｅ１ｙ〜Ｅ１ｋは、前記Ｙ，Ｍ，Ｃ，Ｋの各色の現像器Ｇｙ〜Ｇｋ（図１、図４参照）の現像ロールＧ０（図１参照）に現像バイアスを印加する。
Ｅ２ｙ〜Ｅ２ｋ：帯電用電源回路
帯電用電源回路Ｅ２ｙ〜Ｅ２ｋは、帯電ロールＣＲｙ〜ＣＲｋ（図１参照）に帯電バイアスを印加する。
Ｅ３ｙ〜Ｅ３ｋ：１次転写用電源回路
１次転写用電源回路Ｅ３ｙ〜Ｅ３ｋは、１次転写ロールＴｙ〜Ｔｋ（図１参照）に１次転写バイアスを印加する。
Ｅ４：２次転写用電源回路
２次転写用電源回路Ｅ４は、２次転写ロール（シートにトナー像を転写するシート転写ロール）Ｔ２ｂに２次転写バイアスを印加する。
Ｅ５：加熱用電源回路
加熱用電源回路Ｅ５は、加熱ロールＦｈの小サイズヒータｈ１および大サイズヒータｈ２に加熱用電力を供給する。
【００４３】
Ｄ１：定着ロール駆動回路
定着ロール駆動回路はＤ１は、定着ロール駆動モータＭ１を駆動することにより図示しないギヤを介して定着装置Ｆの加熱ロールＦｈを回転駆動する。加熱ロールＦｈが回転すると加熱ロールＦｈに圧接する加圧ロールＦｐも回転する。
Ｄ２：ベルト駆動回路
ベルト駆動回路Ｄ２は、ベルト駆動モータＭ２を駆動することにより中間転写ベルトＢを回転駆動する。
Ｄ３：シート搬送用駆動回路
シート搬送用駆動回路Ｄ３は、シート搬送用駆動モータＭ３を駆動することによりクラッチＣＬ，ＣＬを介してピックアップロールＲｐおよびレジロールＲｒを駆動し、且つ給紙ロールＲｓおよび搬送ロールＲａを直接駆動する。
【００４４】
（前記コントローラＣの機能）
前記コントローラＣは、前記各信号出力要素ＵＩ，ＳＮｇ，ＳＮ１〜ＳＮ３からの出力信号に応じた処理を実行して、前記各制御要素ＣＧ、ＣＩ、ＣＡ、ＤＬｙ〜ＤＬｋ、Ｄｙ〜Ｄｋ、Ｄ１〜Ｄ３、Ｅ等に制御信号を出力する機能を実現するプログラム（機能実現手段）を有している。前記コントローラＣの各種機能を実現するプログラム（機能実現手段）を次に説明する。
Ｃ１：シートサイズ検出記憶手段
シートサイズ検出記憶手段Ｃ１は、給紙トレイＴＲ１〜ＴＲ３に収容されたシートサイズを検出するシートサイズセンサＳＮ１〜ＳＮ３の検出信号に応じて、各給紙トレイに給紙されたシートサイズを検出し、記憶する。
Ｃ２：メインモータ回転制御手段
メインモータ回転制御手段Ｃ２は、前記メインモータ駆動回路Ｄｙ〜Ｄｋを制御して、感光体Ｐｙ〜Ｐｋ、現像器Ｇｙ〜Ｇｋの現像ロールＧ０等の回転を制御する。
【００４５】
Ｃ３：電源回路制御手段
電源回路制御手段Ｃ３は、次の手段Ｃ３ａ〜Ｃ３ｅを有しており、前記電源回路Ｅを制御して、前記現像バイアス、帯電バイアス、転写バイアス、加熱ロールＦｈのヒータｈ１，ｈ２のオンオフ等を制御する。
Ｃ３ａ：現像バイアス制御手段
現像バイアス制御手段Ｃ３ａは前記現像バイアス用電源回路Ｅ１ｙ〜Ｅ１ｋの動作を制御して現像器Ｇｙ〜Ｇｋの各現像ロールＧ０に印加する現像バイアスを制御する。
Ｃ３ｂ：帯電バイアス制御手段
帯電バイアス制御手段Ｃ３ｂは前記帯電バイアス用電源回路Ｅ２ｙ〜Ｅ２ｋの動作を制御して各帯電ロールＣＲｙ〜ＣＲｋに印加する帯電バイアスを制御する。
【００４６】
Ｃ３ｃ：１次転写バイアス制御手段
１次転写バイアス制御手段Ｃ３ｃは前記１次転写用電源回路Ｅ３ｙ〜Ｅ３ｋの動作を制御して１次転写ロールＴｙ〜Ｔｋに印加する１次転写バイアスを制御する。
Ｃ３ｄ：２次転写バイアス制御手段
２次転写バイアス制御手段Ｃ３ｄは前記２次転写用電源回路Ｅ４の動作を制御して、２次転写ロールＴ２ｂに印加する２次転写バイアスを制御する。
Ｃ３ｅ：ヒータ制御手段
ヒータ制御手段Ｃ３ｅは加熱用電源回路の動作を制御して、前記加熱ロールＦｈの小サイズヒータｈ１および大サイズヒータｈ２をオンオフ制御する。
【００４７】
Ｃ４：潜像形成制御手段
潜像形成制御手段Ｃ４は、タブ個別領域潜像形成手段Ｃ４ａを有しており、レーザ駆動回路ＤＬｙ〜ＤＬｋの動作を制御して、ＲＯＳｙ〜ＲＯＳｋ（潜像形成装置）の各レーザダイオード（図示せず）を駆動し、像担持体Ｐｙ〜Ｐｋ表面に静電潜像を形成する。
Ｃ４ａ：タブ個別領域潜像形成手段
タブ個別領域潜像形成手段Ｃ４ａは、タブ原稿のタブが配置される全領域の画像の中で、各タブ原稿のタブ個別領域のみの静電潜像を形成する。その場合、前記画像記録部材（ＵＹ，ＵＭ，ＵＣ，ＵＫ＋ＢＭ＋Ｔ２）のトナー像形成装置（ＵＹ，ＵＭ，ＵＣ，ＵＫ）は、タブ原稿のタブが配置される全領域の画像の中で、各タブ原稿のタブ個別領域のみに形成された静電潜像をトナー像に現像する。転写装置（ＢＭ＋Ｔ２）は、前記トナー像を複写用のシートＳに転写する。
Ｃ５：作動モード選択画面表示手段
作動モード選択画面表示手段Ｃ５は、前記ＵＩのビルドジョブモード選択手段ＵＩ４が入力された場合にビルドジョブの作動モードを選択する画面（作動モード選択画面）（図６参照）をＵＩ（ユーザインタフェースの表示部ＵＩ１に表示する。なお、図６に関しては後述する。
Ｃ６：タブ原稿時項目設定画面表示手段、
タブ原稿時項目設定画面表示手段Ｃ６は、前記ＵＩのＵＩ１に作動モード選択画面が表示された状態で作動モード入力手段ＵＩ５aの入力に応じてタブ原稿を読み取る場合の項目設定画面を表示する。
【００４８】
Ｃ７：タブ原稿位置記憶手段
タブ原稿位置記憶手段Ｃ７は、前記前記ユーザインタヘェースＵＩの表示部ＵＩ１に項目設定画面が表示された状態でタブ原稿位置入力手段ＵＩ５bにより、ｎセット目の原稿束の中のタブ原稿の位置が原稿束の先頭または最後に設定された場合に、タブ原稿位置を記憶する。
Ｃ８：原稿タブ位置記憶手段
原稿タブ位置記憶手段Ｃ８は、前記前記ユーザインタヘェースＵＩの表示部ＵＩ１に項目設定画面が表示された状態で、タブ原稿の一端縁に配置されるタブ位置が上から何番目のタブ位置であるかが原稿タブ位置入力手段ＵＩ５dにより入力されたときに、その入力に応じて原稿タブ位置を記憶する。
Ｃ９：タブ原稿複写シート給紙トレイ記憶手段
タブ原稿複写シート給紙トレイ記憶手段Ｃ９は、前記前記ユーザインタヘェースＵＩの表示部ＵＩ１に項目設定画面が表示された状態で、タブ原稿を複写する複写用のシートがどの給紙トレイに収容されているかが、ＵＩ（ユーザインタフェース）のタブ原稿複写シート給紙トレイ入力手段ＵＩ５cにより入力された場合に、その入力に応じて、タブ原稿複写シート給紙トレイを記憶する。
【００４９】
Ｃ１０：インターポーズ用給紙トレイ記憶手段
インターポーズ用給紙トレイ記憶手段Ｃ１０は、前記前記ユーザインタヘェースＵＩの表示部ＵＩ１に項目設定画面が表示された状態で、インタポーズ用の給紙（タブ原稿の複写シートの代わりにのシートの給紙）を行う給紙トレイをどの給紙トレイにするかがＵＩ（ユーザインタフェース）のインターポーズ用給紙トレイ入力手段ＵＩ５eにより入力された場合に、その入力に応じて、インターポーズ用給紙トレイを記憶する。
Ｃ１１：複写シート給紙制御手段
複写シート給紙制御手段Ｃ１１は、タブ原稿を複写する際には、設定されたタブ原稿複写シート給紙トレイまたはインターポーズ用給紙トレイから給紙を行い、その他の通常原稿を複写するきには通常の給紙トレイから給紙を行うように、複写シートの給紙を制御する。
【００５０】
Ｃ１２：タブ配置全領域画像読取手段
タブ配置全領域画像読取手段Ｃ１２は、タブ原稿のタブが配置される全領域の画像を読み取る。
Ｃ１３：タブ個別領域画像読取手段
タブ個別領域画像読取手段Ｃ１３は、各タブ原稿のタブが配置されるタブ個別領域の画像を読み取る。
Ｃ１４：２セット目以降原稿タブ位置自動設定手段
２セット目以降原稿タブ位置自動設定手段Ｃ１４は、原稿タブ位置を前記１セット目の動作設定画面で設定されたタブ原稿の原稿タブ位置およびタブ位置変更方向に基づいて、２セット目以降の原稿束のタブ原稿のタブ位置を自動設定する。
【００５１】
（フローチャートの説明）
図５は本発明の実施例１の画像形成装置でビルドジョブモードが選択された場合の制御のフローチャートである。
図５のフローチャートの各ＳＴ（ステップ）の処理は、前記コントローラＣのＲＯＭに記憶されたプログラムに従って行われる。また、この処理は画像形成装置の他の各種処理と並行してマルチタスクで実行される。
図５に示すビルドジョブモード選択時の制御のフローチャートは画像形成装置Ｕの電源オンにより開始される。
図５のＳＴ１（ステップ１）において、ユーザインタフェースＵＩのビルドジョブモード入力手段（入力部材）ＵＩ４の入力が有ったか否かを判断する。ノー（Ｎ）の場合はＳＴ１を繰り返し、イエス（Ｙ）の場合はＳＴ２に移る。
ＳＴ２において、ビルドジョブモード時の動作設定初期画面（図６参照）を表示する。
【００５２】
図６はビルドジョブモード選択時のモード設定画面を示す図である。
図６のモード設定画面では、次の動作モードのいずれか設定することができる。
（１）原稿束の各セット毎の複写用処理動作個別設定モード
このモード（１）では、ファイリング部材にファイルされた原稿束を１枚のタブ原稿とタブ無し原稿とを含む複数の原稿束に分割し、各原稿束を１セットとして、各セット毎に原稿を読み取る際、各セット毎に読取モードの設定項目を設定する。
なお、前記原稿束のセット数がｎ個ある場合にはｎセットの原稿束を読み取る作業が１ジョブの作業となる。
（２）原稿束の２セット目以降の複写用処理動作自動設定モード
このモード（２）では、ファイリング部材にファイルされた原稿束を１枚のタブ原稿とタブ無し原稿とを含む複数の原稿束に分割し、各原稿束を１セットとして、各セット毎に原稿を読み取る際、１セット目の原稿束の読取モードの設定項目を設定し、２セット目以降の設定項目は自動的に設定する。
【００５３】
ＳＴ３において原稿束の各セット毎の動作個別設定モードが選択されたか否か判断する。イエス（Ｙ）の場合はＳＴ４に移り、ノー（Ｎ）の場合はＳＴ５に移る。
ＳＴ４において原稿束の各セット毎の動作設定モード選択時の処理を実行する。ＳＴ４のサブルーチンは図７により後述する。ＳＴ４の次に前記ＳＴ１に戻る。
ＳＴ５において２セット目以降の動作自動設定モードが選択されたか否か判断する。イエス（Ｙ）の場合はＳＴ６に移り、ノー（Ｎ）の場合はＳＴ７に移る。
ＳＴ６において２セット目以降の動作自動設定モード選択時の処理（原稿の１セット目の複写用処理動作を設定をすれば、２セット目以降の複写用処理動作を自動設定する処理）を実行する。ＳＴ６のサブルーチンは図１５により後述する。ＳＴ６の次に前記ＳＴ１に戻る。
ＳＴ７において「終了」アイコンが選択されたか否か判断する。ノー（Ｎ）の場合は前記ＳＴ３に戻り、イエス（Ｙ）の場合は前記ＳＴ１に戻る。
【００５４】
図７は原稿束の各セット毎の複写用処理動作時の設定項目を各セット毎に設定するモードが選択された時（図６のモード設定画面で（１）が選択された時）の処理のフローチャートであり、前記図５のＳＴ４のサブルーチンである。
図７において、前記図５のＳＴ４のサブルーチンがスタートすると、ＳＴ１１において、原稿セット番号ｎをｎ＝０とする。
次にＳＴ１２においてｎ＝ｎ＋１とする。そして、ＳＴ１３に移る。
【００５５】
図８はｎセット目の複写用処理動作の設定項目を設定するための動作設定画面である。
次にＳＴ１３において、ｎセット目の複写用処理動作の設定項目を設定するための動作設定画面（図８参照）を表示し、ＳＴ１４に移る。なお、図８に示す動作設定画面では次の設定項目（Ａ）〜（Ｈ）を有する設定画面を表示し、テンキーＵＩ５の入力または入力位置移動用入力手段（表示部ＵＩ１に表示される矢印アイコン「↓」、「↑」等）により、表示された設定項目を設定することができる。
（各セット毎の動作設定モードのｎセット目の設定画面）
（Ａ）通常原稿複写シート給紙トレイの設定
（1）ＴＲ１ （2）ＴＲ２ （3）ＴＲ３ （4）ＴＲ４（手差トレイ）  □
（Ｂ）タブ原稿複写シート給紙トレイの設定
（1）ＴＲ１ （2）ＴＲ２ （3）ＴＲ３ （4）ＴＲ４（手差トレイ）
（5）ＴＲ５（インタポーズ用トレイ）                            □
（Ｃ）タブ原稿挿入位置設定
（1）先頭 （2）最後 （3）なし                                  □
（Ｄ）複写シート排出トレイの設定
（1）ＴＲh  （2）１７                                          □
（Ｅ）タブ原稿を含む原稿セットの原稿の複写画像形成領域設定
（1）タブ配置領域全域  （2）タブ個別領域                       □
（Ｆ）タブ配置部シート長
（1）Ａ３ＬＥ （2）Ａ４ＬＥ （3）Ａ５ＬＥ （4）Ａ５ＳＥ
（5）Ｂ４ＬＥ （6）Ｂ５ＬＥ （7）Ｂ４ＳＥ （8）Ｂ５ＳＥ        □
（Ｇ）タブ配置個数設定
（4） （5） （6） （8） （10） （12）                          □
（Ｈ）使用タブ番号の設定（上から数えて（ ）番目）                □
「↓」「↑」「キャンセル」「原稿読取」「複写」「終了」
この設定画面の矢印アイコン「↓」および「↑」は入力位置移動手段ＵＩ６（図４参照）として使用される。
【００５６】
前記図７のＳＴ１３で前記図８のｎセット目の複写用処理動作の設定項目を設定するための動作設定画面を表示した後、図７のＳＴ１４において設定値入力有りか否か判断する。イエス（Ｙ）の場合はＳＴ１５に移り、ノー（Ｎ）の場合はＳＴ１６に移る。
ＳＴ１５において次の処理を実行した後、ＳＴ１４に戻る。
（１）入力設定値を記憶する。
（２）入力値を表示画面（図８参照）に追加表示する。
ＳＴ１６において図８に表示された入力位置移動アイコンＵＩ６（「↓」または「↑」）が入力されたか否か判断する。イエス（Ｙ）の場合はＳＴ１７に移り、ノー（Ｎ）の場合はＳＴ１８に移る。
ＳＴ１７において入力位置移動処理（カーソルの移動処理）を実行し、前記ＳＴ１４に戻る。
ＳＴ１８において「キャンセル」アイコンが選択されたか否か判断する。ノー（Ｎ）の場合はＳＴ１９に移り、イエス（Ｙ）の場合は本体電源ＯＮ時に表示される初期画面表示状態に戻る。
【００５７】
ＳＴ１９において「終了」アイコンが選択されたか否かを判断する。ノー（Ｎ）の場合はＳＴ２０に移り、イエス（Ｙ）の場合はＳＴ２５に移る。
ＳＴ２０において「複写」アイコンが選択されたか否かを判断する。ノー（Ｎ）の場合はＳＴ２３に移り、イエス（Ｙ）の場合はＳＴ２１に移る。
ＳＴ２１において、読取済原稿セット有りか否かを判断する。ノー（Ｎ）の場合は前記ＳＴ１４に戻り、イエス（Ｙ）の場合はＳＴ２２に移る。
ＳＴ２２において複写処理を実行する。ＳＴ２２のサブルーチンは図１０、１１により後述する。ＳＴ２２の次に前記ＳＴ１４に戻る。
ＳＴ２３において「原稿読取」アイコンが選択されたか否かを判断する。ノー（Ｎ）の場合は前記ＳＴ１４に戻り、イエス（Ｙ）の場合はＳＴ２４に移る。
ＳＴ２４においてｎセット目の原稿読取処理を実行する。ＳＴ２４のサブルーチンは図１４において後述する。処理実行後前記ＳＴ１２に戻り、次セット（ｎ＋１セット）の複写用処理動作時の項目設定を行う。
【００５８】
図９は、各セット毎の動作設定モード終了画面を示す図である。
ＳＴ２５において各セット毎の動作設定モード終了画面を表示する（図９参照）。
図９の画面上には動作設定データが記憶されている原稿セット番号が表示動作設定データを破棄するか否かのメッセージを表示する。テンキーＵＩ５の入力または入力位置移動用入力キー「↓」、「↑」等により、表示された設定項目を設定することができる。
ＳＴ２６おいて終了画面（図９参照）表示状態で「１」（破棄する）が入力されたか否かを判断する。ノー（Ｎ）の場合は前記ＳＴ２８に移り、イエス（Ｙ）の場合はＳＴ２７に移る。
ＳＴ２７において記憶されている動作設定データを破棄する。そして、本体電源ＯＮ時に表示される初期画面表示に戻る。
ＳＴ２８において終了画面（図９参照）表示状態で「２」（破棄しない）が入力されたか否かを判断する。ノー（Ｎ）の場合は前記ＳＴ２６に戻り、イエス（Ｙ）の場合は図５のＳＴ４のサブルーチンを終了して、ＳＴ１に戻る。
【００５９】
図１０は複写処理のフローチャートであり、図７のＳＴ２２のサブルーチンである。
図１３は複写する原稿セット（記憶済みのもの）を指定するための原稿セット指定画面である。
図１３で示す原稿セット指定画面では、記憶済み原稿セット番号が表示され、そこに表示された記憶済み原稿セット番号の中から複写する原稿セット番号を入力設定することができる。
図１０においてＳＴ２２のサブルーチンがスタートすると、ＳＴ３１において原稿セット複写指定画面（図１３参照）を表示し、ＳＴ３２に移る。
【００６０】
ＳＴ３２において原稿セット複写指定画面への入力があったか否かを判断する。ノー（Ｎ）の場合はＳＴ３４に移り、イエス（Ｙ）の場合はＳＴ３３に移る。
ＳＴ３３において次の処理を実行した後前記ＳＴ３２に戻る。
（１） 入力値を一時記憶
（２） 入力値を画面に追加表示
次にＳＴ３４において前記複写機Ｕのコピースタートキーがオンになったか否かを判断する。ノー（Ｎ）の場合は前記ＳＴ３２に戻り、イエス（Ｙ）の場合はＳＴ３５に移る。
ＳＴ３５において複写指定された複数の原稿セットに対して、セット番号ｎの一番小さい原稿セットから順に複写順番号ｍ（ｍ＝１、２・・・）を割付け、ＳＴ３６に移る。
なお、ＳＴ３６において複写順番号をｍ＝０とし、次にＳＴ３７においてｍ＝ｍ＋１とする。そして、ＳＴ３８に移る。
【００６１】
ＳＴ３８において複写順番号ｍの原稿セットが存在しているか否かを判断する。ノー（Ｎ）の場合は複写処理のサブルーチンが終了し、前記図７の前記ＳＴ１４に戻る。イエス（Ｙ）の場合はＳＴ３９に移る。
ＳＴ３９において複写指定原稿セット内にタブ原稿が含まれているか否かを判断する。ノー（Ｎ）の場合はＳＴ４０に移り、イエス（Ｙ）の場合は前記図１１のＳＴ４３に移る。
ＳＴ４０において先頭原稿の通常シートへの複写処理を実行し、ＳＴ４１に移る。
ＳＴ４１において次原稿があるか否かを判断する。ノー（Ｎ）の場合は前記ＳＴ３７に戻り、イエス（Ｙ）の場合はＳＴ４２に移る。
ＳＴ４２において次原稿の通常シートへの複写処理を実行し、前記ＳＴ４１に戻る。
【００６２】
図１１は複写処理のフローチャートであり、前記図１０の続きのフローチャートである。
前記図１１のＳＴ４３において、タブ原稿が先頭であるか否かを判断する。ノー（Ｎ）の場合は前記ＳＴ５６に移り、イエス（Ｙ）の場合はＳＴ４４に移る。
ＳＴ４４においてタブ原稿複写シートはタブ紙か否か判断する。イエス（Ｙ）の場合はＳＴ４５に移る。
ＳＴ４５においてタブ配置領域の画像形成は全領域か否か判断する。イエス（Ｙ）の場合はＳＴ４６に移り、ノー（Ｎ）の場合はＳＴ４７に移る。
ＳＴ４６においてタブ配置領域の全領域を含めて画像形成して、複写順番号ｍの原稿セットの先頭原稿をタブ原稿複写シートに複写する。次にＳＴ４８に移る。
ＳＴ４７においてタブ配置領域のタブ個別領域を含めて画像形成し、複写番号ｍの原稿セットの先頭原稿をタブ原稿複写シートに複写する。
ＳＴ４８において次原稿有りか否か判断する。イエス（Ｙ）の場合はＳＴ４９に移り、ノー（Ｎ）の場合はＳＴ５０に移る。
ＳＴ４９においてタブ領域の画像を消去して、通常シート画像領域の画像を形成し、通常シートに複写する。次に前記ＳＴ４８に戻る。
ＳＴ５０において複写シート排出トレイを通常排出トレイＴＲhに切り替える。次に図１０のＳＴ３７に戻る。
なお、前記「タブ領域の画像を消去して」の意味は次のとおりである。すなわち、詳細は後述するが本実施例１では、ビルドジョブモード選択時には、原稿読取の際にタブ配置領域全領域を含めて画像読取を行なっている。したがって、画像複写時にタブシートでないシートに複写するときには、通常シートの画像領域の画像のみを記録するため、タブ配置領域全領域の読取画像を消去している。
【００６３】
前記ＳＴ４４においてノー（Ｎ）の場合はＳＴ５１に移る。
ＳＴ５１においてタブ原稿複写シートとしてインターポーズ用給紙トレイが設定されているか否か（図８の設定項目（Ｂ）参照）判断する。イエス（Ｙ）の場合はＳＴ５２に移り、ノー（Ｎ）の場合はＳＴ５３に移る。
ＳＴ５２において次の処理を実行する。
（１）画像形成せずに複写番号ｍの原稿セットの先頭原稿の複写シートの代わりにインターポーズ用給紙トレイから給紙する。
（２）複写シート排出トレイを後処理装置Ｕ４のスタックトレイ１７に設定（ＧＴ３切替）。
ＳＴ５３において、タブ領域の画像を消去して複写番号ｍの原稿セットの先頭原稿の画像を形成し、通常の給紙トレイ（図８の設定項目（Ｂ）で設定された給紙トレイ）から給紙されたシートに複写。
前記ＳＴ５２、ＳＴ５３の次に、前記ＳＴ４８に移る。
【００６４】
図１２は複写処理のフローチャートであり、前記図１１の続きのフローチャートである。
前記図１１のＳＴ４３においてノー（Ｎ）の場合は、図１２のＳＴ５４において、タブ原稿複写シートとしてインターポーズ用給紙トレイＴＲ５が設定されているか否か（図８の設定項目（Ｂ）参照）判断する。イエス（Ｙ）の場合はＳＴ５５に移り、ノー（Ｎ）の場合はＳＴ５６に移る。
ＳＴ５５において、複写シート排出トレイを後処理装置Ｕ４のスタックトレイ１７に設定（ＧＴ３切替）する。
ＳＴ５６において、複写順番号ｍの原稿セットの先頭原稿を通常シートに複写する。
次にＳＴ５７において次原稿有りか否か判断する。イエス（Ｙ）の場合はＳＴ５８に移り、ノー（Ｎ）の場合はＳＴ６０に移る。
ＳＴ５８において複写順番号ｍの原稿セットの最後の原稿か否か判断する。ノー（Ｎ）の場合はＳＴ５９に移り、イエス（Ｙ）の場合はＳＴ６１に移る。
ＳＴ５９においてタブ領域の画像を消去して、通常シート画像領域の画像を形成し、通常シートに複写する。次に前記ＳＴ５７に戻る。
ＳＴ６０において複写シート排出トレイを通常排出トレイＴＲhに切り替える。次に前記図１０のＳＴ３７に戻る。
ＳＴ６１においてタブ原稿複写シートはタブ紙か否か判断する。イエス（Ｙ）の場合はＳＴ６２に移る。
ＳＴ６２においてタブ配置領域の画像形成は全領域か否か判断する。イエス（Ｙ）の場合はＳＴ６３に移り、ノー（Ｎ）の場合はＳＴ６４に移る。
ＳＴ６３においてタブ配置領域の全領域を含めて画像形成して、複写順番号ｍの原稿セットの最終原稿をタブ原稿複写シートに複写する。次に前記ＳＴ５７に戻る。
ＳＴ６４においてタブ配置領域のタブ個別領域を含めて画像形成し、複写番号ｍの原稿セットの最終原稿をタブ原稿複写シートに複写する。
【００６５】
前記ＳＴ６１においてノー（Ｎ）の場合はＳＴ６５に移る。
ＳＴ６５においてタブ原稿複写シートとしてインターポーズ用給紙トレイＴＲ５が設定されているか否か（図８の設定項目（Ｂ）参照）判断する。イエス（Ｙ）の場合はＳＴ６６に移り、ノー（Ｎ）の場合はＳＴ６７に移る。
ＳＴ６６において画像形成せずに複写番号ｍの原稿セットの先頭原稿の複写シートの代わりにインターポーズ用給紙トレイから給紙する。
ＳＴ６７において、タブ領域の画像を消去して複写番号ｍの原稿セットの最終原稿の画像を形成し、通常の給紙トレイ（図８の設定項目（Ｂ）で設定された給紙トレイ）から給紙されたシートに複写する。
前記ＳＴ６３、ＳＴ６４，ＳＴ６６、ＳＴ６７の次に、前記ＳＴ５７に戻る。
【００６６】
図１４はｎセット目の原稿読取処理のフローチャートであり、前記図７のＳＴ２４のサブルーチンである。
図７のＳＴ２４のサブルーチンがスタートすると、図１４のＳＴ７１において、原稿頁番号Ｐ＝０とする。
次にＳＴ７２において原稿給紙トレイＴＧ１に原稿が有りか否か（セットされているか否か）判断する。ノー（Ｎ）の場合はＳＴ７３に移り、イエス（Ｙ）の場合はＳＴ７５に移る。
ＳＴ７３において、「原稿給紙トレイに原稿をおいて下さい」を表示画面（図８参照）の中央部に上書き表示する。
次にＳＴ７４において「キャンセル」アイコンが選択されたか否か判断する。ノー（Ｎ）の場合は前記ＳＴ７２に戻り、イエス（Ｙ）の場合は前記図７のＳＴ１３に戻り、ｎセット目の複写用処理動作を最初からやり直す。
【００６７】
ＳＴ７５において表示画面中央部に上書き表示が有る場合は上書き表示を消去する。
次にＳＴ７６においてｎセット目中の原稿束の中にタブ原稿が有るか否かを判断する。ノー（Ｎ）の場合はＳＴ７７に移る。
ＳＴ７７において、ｎセット目の原稿束の中の原稿頁番号Ｐ＝Ｐ＋１とする。
次にＳＴ７８においてＰ頁目原稿の通常原稿（タブ無し原稿）の画像領域を読み取る。なお、本実施例１では、前記ＳＴ７６でノー（Ｎ）の場合はにはＳＴ７８で説明したようにＰ頁目原稿の通常原稿（タブ無し原稿）の画像領域を読み取り、前記ＳＴ７６でイエス（Ｙ）の場合は後述するＳＴ８３、ＳＴ８７で説明するように、タブ配置領域全領域を含めたＰ頁目原稿の画像（Ｐ頁目原稿の通常原稿（タブ無し原稿）の画像領域と、タブ配置領域の全領域の画像と）を読み取る。
次にＳＴ７９において次原稿有りか否か判断する。イエス（Ｙ）の場合は前記ＳＴ７７に戻り、ノー（Ｎ）の場合はＳＴ８０に移る。
ＳＴ８０においてｎセット目原稿束にはタブ原稿無しであることを記憶する。
次に図７のＳＴ１２に戻る。
【００６８】
前記ＳＴ７６においてイエス（Ｙ）の場合はＳＴ８１に移る。
ＳＴ８１においてタブ原稿は先頭か否か判断する。イエス（Ｙ）の場合はＳＴ８２に移る。
ＳＴ８２において、ｎセット目の原稿束の中の原稿頁番号Ｐ＝Ｐ＋１とする。
次にＳＴ８３においてタブ配置領域の全領域を含めてＰ頁目原稿を読み取る。
次にＳＴ８４において次原稿有りか否か判断する。イエス（Ｙ）の場合は前記ＳＴ８２に戻り、ノー（Ｎ）の場合はＳＴ８５に移る。
ＳＴ８５においてｎセット目原稿束の先頭原稿はタブ原稿であることを記憶する。
次に図７のＳＴ１２に戻る。
【００６９】
前記ＳＴ８１においてノー（Ｎ）の場合は、ｎセット目原稿束のタブ原稿は最終原稿であることを意味する。この場合はＳＴ８６に移る。
ＳＴ８６において、ｎセット目の原稿束の中の原稿頁番号Ｐ＝Ｐ＋１とする。
次にＳＴ８７においてタブ配置領域の全領域を含めてＰ頁目原稿を読み取る。
次にＳＴ８８において次原稿有りか否か判断する。イエス（Ｙ）の場合は前記ＳＴ８６に戻り、ノー（Ｎ）の場合はＳＴ８９に移る。
ＳＴ８９においてｎセット目原稿束の最終原稿はタブ原稿であることを記憶する。
次に図７のＳＴ１２に戻る。
【００７０】
図１５は２セット目以降の複写用処理動作自動設定モード選択時（図６のモード設定画面で（２）が選択された時）の処理のフローチャート（図５のＳＴ６のサブルーチン）である。
図１５において、前記図５のＳＴ６のサブルーチンがスタートすると、ＳＴ９１において、原稿セット番号ｎをｎ＝１とする。
次にＳＴ９２において１セット目の複写用処理動作の設定画面（図１６参照）を表示する。
図１６は２セット目以降自動設定モードが選択された際の１セット目の複写用処理動作の設定項目を設定するための動作設定画面である。
なお、図１６に示す動作設定画面では、１セット目の原稿束の次の設定項目（Ａ）〜（Ｊ）を有する設定画面を表示し、テンキーＵＩ５の入力または入力位置移動用入力キー「↓」、「↑」等により、表示された設定項目を設定することができる。
【００７１】
（２セット目以降自動設定のモードの１セット目の設定画面）
（Ａ）通常原稿複写シート給紙トレイの設定
（1）ＴＲ１ （2）ＴＲ２ （3）ＴＲ３ （4）ＴＲ４（手差トレイ）  □
（Ｂ）タブ原稿複写シート給紙トレイの設定
（1）ＴＲ１ （2）ＴＲ２ （3）ＴＲ３ （4）ＴＲ４（手差トレイ）
（5）ＴＲ５（インタポーズ用トレイ）                            □
（Ｃ）タブ原稿挿入位置設定
（1）先頭 （2）最後 （3）なし                                  □
（Ｄ）複写シート排出トレイの設定
（1）ＴＲh  （2）１７                                          □
（Ｅ）タブ原稿を含む原稿セットの原稿の複写画像形成領域設定
（1）タブ配置領域全域  （2）タブ個別領域                       □
（Ｆ）タブ配置部シート長
（1）Ａ３ＬＥ （2）Ａ４ＬＥ （3）Ａ５ＬＥ （4）Ａ５ＳＥ
（5）Ｂ４ＬＥ （6）Ｂ５ＬＥ （7）Ｂ４ＳＥ （8）Ｂ５ＳＥ        □
（Ｇ）タブ配置個数設定
（4） （5） （6） （8） （10） （12）                          □
（Ｈ）使用タブ番号の設定（上から数えて（ ）番目）                □
（Ｉ）使用タブ番号自動変更方向
（1）上から下  （2）下から上                                   □
（Ｊ）後処理装置の使用
（1）使用しない  （2）使用する                                 □
「↓」「↑」「キャンセル」「原稿読取」「複写」「終了」
この設定画面の矢印アイコン「↓」および「↑」は入力位置移動手段ＵＩ６（図４参照）として使用される。
【００７２】
なお、この２セット目以降の複写用処理動作自動設定モード選択時の１セット目の設定画面（図１６参照）は、前記各セット毎の動作設定モードの１セット目の設定画面（図８参照）に「（Ｈ）タブ位置変更方向設定」を行う画像が追加されている。図１６において、タブ位置変更方向を、「上から下」または「下から上」に設定することにより、２セット目以降の原稿束のタブ原稿のタブ位置を自動設定することが可能となる。
すなわち、各セット毎の動作設定モード（図５のＳＴ４のサブルーチン）の項目設定画面（図８参照）では各原稿セット毎に設定項目の設定を行う必要があるが、２セット目以降の複写用処理動作自動設定モード（図５のＳＴ６のサブルーチン）の項目設定画面（図１６参照）では１セット目の原稿束の複写用処理動作を設定すると、２セット目以降の複写用処理動作の設定項目は自動設定されて自動表示される。
例えば、図１６の１セット目の動作設定画面で（Ｇ）の使用タブ番号の設定で、上から数えて「１」番目に設定し、（Ｈ）使用タブ番号自動変更方向の設定でタブ番号自動変更方向（タブ位置自動変更方向）を「１」（上から下）を設定すると、図１８の２セット目の動作設定画面では（Ｇ）の使用タブ番号の設定で、上から数えて「２」番目が自動設定されて自動的に表示される。
【００７３】
前記図１５のＳＴ９２で前記図１６の１セット目の複写用処理動作の設定項目を設定するための動作設定画面を表示した後、図１５のＳＴ９３において設定値入力有りか否か判断する。イエス（Ｙ）の場合はＳＴ９４に移り、ノー（Ｎ）の場合はＳＴ９５に移る。
ＳＴ９４において次の処理を実行した後、ＳＴ９３に戻る。
（１）入力設定値を記憶する。
（２）入力値を表示画面（図１６参照）に追加表示する。
ＳＴ９５において入力位置移動アイコン「↓」または「↑」が入力されたか否か判断する。イエス（Ｙ）の場合はＳＴ９６に移り、ノー（Ｎ）の場合はＳＴ９７に移る。
ＳＴ９６において入力位置移動処理（カーソルの移動処理）を実行し、前記ＳＴ９３に戻る。
ＳＴ９７において「キャンセル」アイコンが選択されたか否か判断する。ノー（Ｎ）の場合はＳＴ９８に移り、イエス（Ｙ）の場合は図５のＳＴ６のサブルーチンを終了し、本体電源ＯＮ時に表示される初期画面表示状態に戻る。
【００７４】
ＳＴ９９において「複写」アイコンが選択されたか否かを判断する。ノー（Ｎ）の場合はＳＴ１０２に移り、イエス（Ｙ）の場合はＳＴ１００に移る。
ＳＴ１００において、読取済原稿セット有りか否かを判断する。ノー（Ｎ）の場合は前記ＳＴ９３に戻り、イエス（Ｙ）の場合はＳＴ１０１に移る。
ＳＴ１０１において複写処理を実行する。ＳＴ１０１の複写処理のサブルーチンは前記図１０、図１１により説明した処理（図７のＳＴ２２の複写処理のサブルーチン）と同様である。
ＳＴ１０２において「原稿読取」アイコンが選択されたか否かを判断する。ノー（Ｎ）の場合は前記ＳＴ９３に戻り、イエス（Ｙ）の場合はＳＴ１０３に移る。
ＳＴ１０３において原稿読取処理を実行する。ＳＴ１０３のサブルーチンは図１７において後述する。ＳＴ１０３の処理が終了すると前記ＳＴ９３に戻る。
【００７５】
前記ＳＴ９８においてイエス（Ｙ）の場合はＳＴ１０４に移る。
ＳＴ１０４において、２セット目以降自動設定モード動作設定モードの終了画面を表示する。この終了画面は前記図９の各セット毎の動作設定モード終了画面とほぼ同じである。すなわち、図９の表示「各セット毎の動作設定モード終了画面」が、「２セット目以降自動設定モード終了画面」と表示される以外は同じ画面が表示される。
図１５のＳＴ１０５おいて終了画面表示状態で「１」（破棄する）が入力されたか否かを判断する。ノー（Ｎ）の場合は前記ＳＴ１０７に移り、イエス（Ｙ）の場合はＳＴ１０６に移る。
ＳＴ１０６において記憶されている動作設定データを破棄する。そして、前記図５のＳＴ６のサブルーチンを終了して、ＳＴ１に戻る。
ＳＴ２８において終了画面（図９参照）表示状態で「２」（破棄しない）が入力されたか否かを判断する。ノー（Ｎ）の場合は前記ＳＴ１０５に戻り、イエス（Ｙ）の場合は前記図５のＳＴ６のサブルーチンを終了して、ＳＴ１に戻る。
【００７６】
図１７は２セット目以降の動作自動設定モード選択時の処理のフローチャート（図１５のＳＴ１０３のサブルーチンのフローチャート）である。
図１７のＳＴ１１１においてｎ（最初はｎ＝１）セット目原稿読取処理を実行する。このＳＴ１１１の処理は前記図１４に示すｎセット目原稿読取処理のフローチャート（図７のＳＴ２４のサブルーチン）と同じフローチャートである。
次にＳＴ１１２において原稿セット番号ｎをｎ＝ｎ＋１とする。
次にＳＴ１１３において次の処理を実行する。
（１）ｎセット目の複写用処理動作の設定項目を自動設定する。
（２）自動設定した項目設定画面（図１８参照）を自動表示する。
図１８は２セット目の項目を自動設定した画面を示す図である。
図１８において、使用タブ番号は、前記図１６に示す１セット目の設定に比較して１つ下方に自動的にずれている。
【００７７】
ＳＴ１１４において「キャンセル」が選択されたか否か判断する。イエス（Ｙ）の場合は前記図１５の処理（図５のＳＴ６のサブルーチンの処理）を終了して、図５のＳＴ１に戻る。ＳＴ１１４においてノー（Ｎ）の場合はＳＴ１１５に移る。
ＳＴ１１５において「終了」が選択されたか否か判断する。イエス（Ｙ）の場合は図１７の処理（図１５のＳＴ１０３のサブルーチンの処理）を終了して図１５のＳＴ９３に戻る。ＳＴ１１５においてノー（Ｎ）の場合はＳＴ１１６に移る。
ＳＴ１１６において「原稿読取」アイコン（図１８参照）が選択されたか否か判断する。ノー（Ｎ）の場合は前記ＳＴ１１４に戻り、イエス（Ｙ）の場合は前記ＳＴ１１１に戻る。
【００７８】
（実施例１の作用）
前記構成を備えた本発明の画像形成装置の実施例１では、画像形成装置ＵのユーザはユーザインタフェースＵＩのビルドジョブモード選択手段ＵＩ４によりビルドジョブモードを選択することにより、１枚のタブ原稿Ｇｉ1と１枚以上の通常原稿Ｇｉ2とにより構成される１セットの原稿束を複数セット有する複数セット原稿束に対して、１セットの原稿束毎に複写用の処理動作を設定し、前記複数セットの原稿束の複写動作をまとめて１ジョブとする画像形成動作を設定することができる。
前記ビルドジョブモード選択手段ＵＩ４によりビルドジョブモードが選択された場合、前記図６のビルドジョブモード時のモード設定画面が表示される。この図６の画面で、次の（１）または（２）のモードを設定することができる。
（１）原稿束の各セット毎の複写用処理動作個別設定モード
（２）原稿束の２セット目以降の複写用処理動作自動設定モード
【００７９】
前記（１）の個別設定モードが選択された場合には、１セットの原稿束を複数セット有する複数セット原稿束に対して、各セットの原稿束毎に、複写用処理動作の設定項目（図８参照）の設定を行う。
前記（２）の２セット目以降自動設定モードが選択された場合には、１セットの原稿束を複数セット有する複数セット原稿束に対して、図１６の画面で、１セット目の原稿束に複写用の処理動作を設定する。その際、原稿タブ位置入力手段ＵＩ５d（図４参照）により１セット目の設定時に１セット目のタブ原稿の原稿タブ位置の設定を行う。また、タブ位置設定方向入力手段ＵＩ５h（図４参照）により、前記１セット目の設定時に２セット目以降の原稿束のタブ原稿の原稿タブ位置を自動設定するためのタブ位置変更方向を設定する。
２セット目以降原稿タブ位置自動設定手段Ｃ１４（図４参照）は、原稿タブ位置を前記１セット目のタブ原稿の原稿タブ位置および前記設定されたタブ位置変更方向に基づいて、２セット目以降の原稿束のタブ原稿のタブ位置を自動設定する。
【００８０】
前記ビルドジョブモードが選択された場合にタブ原稿位置入力手段ＵＩ５dにより、タブ原稿Ｇｉ1が１セットの原稿束の最初の位置かまたは最後の位置のいずれに配置されているか、あるいはタブ原稿が無しかのいずれかを入力することができる。
また、ユーザはユーザインタフェースＵＩのタブ原稿複写シート給紙トレイ入力手段ＵＩ５cにより、タブ原稿複写シートを収容する給紙トレイが前記複数の給紙トレイＴＲ１〜ＴＲ４の中のどの給紙トレイであるかを入力することができる。
前記１セット以上の原稿束が読み込み済の状態で、コピースタートキー（複写開始キー）ＵＩ２が入力された際に、複写シート給紙制御手段Ｃ１１は、タブ原稿Ｇｉ1でない通常原稿Ｇｉ2を複写するときには、前記通常原稿複写シート給紙トレイから通常原稿複写シートを給紙し、タブ原稿Ｇｉ1を複写するときには、前記タブ原稿複写シート給紙トレイからタブ原稿複写シートを給紙するように前記複写シート給紙装置（ＴＲ１〜ＴＲ４＋Ｒｐ）の動作を制御する。
前記１セットの原稿束にはタブ原稿Ｇｉ1が１枚のみであり、前記タブ原稿Ｇｉ1の位置は１セットの原稿束の最初または最後であるので、タブ原稿Ｇｉ1の頁番号を正確に入力せずに、タブ原稿Ｇｉ1をタブ原稿複写シートに確実に複写することができる。したがって、タブ原稿複写シートとして、タブ原稿Ｇｉ1と同じ位置にタブを有するタブ付き複写シートを使用することにより（タブ原稿複写シート用の給紙トレイにタブ原稿Ｇｉ1と同じ位置にタブを有するタブ付き複写シートを収容しておくことにより）、タブ原稿Ｇｉ1をタブ付複写シートに確実に複写することができる。
【００８１】
タブ配置全領域画像読取入力手段ＵＩ５fにより、タブ原稿のタブが配置される全領域の画像を読み取ることを入力された場合には、タブ配置全領域画像読取手段Ｃ１２は、各タブ原稿を読取る場合に、各タブ原稿のタブの配置されている領域（個別タブ領域）だけでなく、タブ原稿のタブが配置される全領域の画像を読み取る。タブ領域以外の画像領域は通常通りに画像が形成されるが、タブ個別領域潜像形成手段Ｃ４ａ（図４参照）は、タブ原稿のタブが配置される全領域の画像の中で、各タブ原稿のタブ個別領域のみの静電潜像を形成する。その場合、前記画像記録部材（ＵＹ，ＵＭ，ＵＣ，ＵＫ＋ＢＭ＋Ｔ２）の前記トナー像形成装置ＵＹ，ＵＭ，ＵＣ，ＵＫは、タブ原稿のタブが配置される全領域の画像の中で、各タブ原稿のタブ個別領域のみに形成された静電潜像をトナー像に現像する。転写装置（ＢＭ＋Ｔ２）は、前記トナー像を複写用のシートＳに転写する。
【００８２】
タブ個別領域読取入力手段ＵＩ５gにより、タブ原稿毎のタブが配置されるタブ個別領域の画像を読み取ることが入力されると、タブ個別領域画像読取手段Ｃ１３は、各タブ原稿のタブが配置されるタブ個別領域の画像を読み取る。この場合は、タブ配置領域に関しては、読み取られたタブ個別領域の画像のみが画像記録部材（ＵＹ，ＵＭ，ＵＣ，ＵＫ＋ＢＭ＋Ｔ２）によりタブ原稿複写シートに画像記録される。
前記実施例１によれば、タブ原稿とタブ無しの通常原稿とを含む原稿束を複写する際に、タブ原稿の正確な頁番号を入力することなく、タブ原稿をタブ付きの複写シートに確実に複写することができる。
【産業上の利用可能性】
【００８３】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
（Ｈ01）本実施例では、１セットの原稿束の中の複数の原稿を全て読み取った後に、複写動作を行えるように構成したが、原稿を１枚づつ読み取ると同時に複写動作を実行するように構成することも可能である。
（Ｈ02）本実施例１では１セット以上の原稿束を読み込んだ後に、読み込み済原稿束の中の任意のセットの原稿束の複写を実行可能に構成しているが、１セットの原稿束を読み取った直後に連続して、前記１セットの読取済原稿束の複写を必ず実行するように構成することが可能である。
（Ｈ03）本発明は感光体表面を一様に帯電させ、その表面に静電潜像形成装置（光書込装置）により静電潜像を形成し、前記静電潜像をトナー像に現像し、前記トナー像を画像記録位置において複写シートに転写する電子写真方式の画像形成装置だけでなく、インクジェット記録方式の画像形成装置にも適用することが可能である。
（Ｈ04）タブ原稿複写シート給紙トレイとして、手差しトレイＴＲ４や、インタポーズ用給紙トレイＴＲ５を使用することが可能である。
【図面の簡単な説明】
【００８４】
【図１】図１は本発明の画像形成装置の実施例１の説明図である。
【図２】図２は本発明の画像形成装置の実施例１で使用される先頭原稿にタブ原稿が配置された原稿束の説明図で、図２Ａは１セット目の原稿束の例を示す図、図２Ｂは２セット目の原稿束の例を示す図である。
【図３】図３は本発明の画像形成装置の実施例１で使用される最終原稿にタブ原稿が配置された原稿束の説明図で、図３Ａは１セット目の原稿束の例を示す図、図３Ｂは２セット目の原稿束の例を示す図である。
【図４】図４は実施例１の画像形成装置の制御部分が備えている各機能をブロック図（機能ブロック図）で示した図である。
【図５】図５は本発明の実施例１の画像形成装置でビルドジョブモードが選択された場合の制御のフローチャートである。
【図６】図６はビルドジョブモード選択時のモード設定画面を示す図である。
【図７】図７は原稿束の各セット毎の複写用処理動作時の設定項目を各セット毎に設定するモードが選択された時（図６のモード設定画面で（１）が選択された時）の処理のフローチャートであり、前記図５のＳＴ４のサブルーチンである。
【図８】図８はｎセット目の複写用処理動作の設定項目を設定するための動作設定画面である。
【図９】図９は、各セット毎の動作設定モード終了画面を示す図である。
【図１０】図１０は複写処理のフローチャートであり、図７のＳＴ２２のサブルーチンである。
【図１１】図１１は複写処理のフローチャートであり、前記図１０の続きのフローチャートである。
【図１２】図１２は複写処理のフローチャートであり、前記図１１の続きのフローチャートである。
【図１３】図１３は複写する原稿セット（記憶済みのもの）を指定するための原稿セット指定画面である。
【図１４】図１４はｎセット目の原稿読取処理のフローチャートであり、前記図７のＳＴ２４のサブルーチンである。
【図１５】図１５は２セット目以降の複写用処理動作自動設定モード選択時（図６のモード設定画面で（２）が選択された時）の処理のフローチャート（図５のＳＴ６のサブルーチン）である。
【図１６】図１６は２セット目以降自動設定モードが選択された際の１セット目の複写用処理動作の設定項目を設定するための動作設定画面である。
【図１７】図１７は２セット目以降の動作自動設定モード選択時の処理のフローチャート（図１５のＳＴ１０３のサブルーチンのフローチャート）である。
【図１８】図１８は２セット目の項目を自動設定した画面を示す図である。
【符号の説明】
【００８５】
Ｃ４ａ…タブ個別領域潜像形成手段、
Ｃ１１…複写シート給紙制御手段、
Ｃ１２…タブ配置全領域画像読取手段、
Ｃ１３…タブ個別領域画像読取手段、
Ｃ１４…２セット目以降原稿タブ位置自動設定手段、
Ｇｉ…原稿、
Ｑ４…画像記録位置、
Ｇｉ1…タブ原稿、
Ｇｉ2…通常原稿、
Ｒｐ…給紙部材、
ＳＨ…シート搬送装置、
ＴＧ１…原稿給紙トレイ、
ＴＲ１〜ＴＲ４…給紙トレイ、
ＴＲｈ，１７…シート排出トレイ、
ＵＩ４…ビルドジョブモード選択手段、
ＵＩ５c…タブ原稿複写シート給紙トレイ入力手段、
ＵＩ５d…タブ原稿位置入力手段、
ＵＩ５f…タブ配置全領域画像読取入力手段、
ＵＩ５g…タブ個別領域読取入力手段、
ＵＩ５h…タブ位置設定方向入力手段、
ＵＹ，ＵＭ，ＵＣ，ＵＫ…トナー像形成装置、
（ＢＭ＋Ｔ２）…転写装置、
（Ｇｈ＋Ｇｒ）…原稿搬送部材、
（ＲＯＳｙ〜ＲＯＳｋ）…潜像形成装置、
（ＴＧ１＋Ｇｈ＋Ｇｒ）…原稿給紙装置、
（ＵＹ，ＵＭ，ＵＣ，ＵＫ＋ＢＭ＋Ｔ２）…画像記録部材。
【図１】
2005134798.tif 000003
【図２】
2005134798.tif 000004
【図３】
2005134798.tif 000005
【図４】
2005134798.tif 000006
【図５】
2005134798.tif 000007
【図６】
2005134798.tif 000008
【図７】
2005134798.tif 000009
【図８】
2005134798.tif 000010
【図９】
2005134798.tif 000011
【図１０】
2005134798.tif 000012
【図１１】
2005134798.tif 000013
【図１２】
2005134798.tif 000014
【図１３】
2005134798.tif 000015
【図１４】
2005134798.tif 000016
【図１５】
2005134798.tif 000017
【図１６】
2005134798.tif 000018
【図１７】
2005134798.tif 000019
【図１８】
2005134798.tif 000020